(57)【要約】 【課題】  プラグの差込、引抜操作が容易にできるバックルおよびベビーキャリアを提供する。【解決手段】  互いに結合した状態において、片方の部材（ベルト部材４）が所定方向の引張力を受ける一対の部材４，５を互いに結合・分離するバックル。ソケット１０と、ソケットに対して差込可能でかつ所定位置まで差し込まれた状態においてソケットに対して係止されるプラグ３０とを備える。ソケットは一方の部材５に取り付けられている。プラグは、プラグの差込方向に対して略直交する方向に引手部３３を有し、この引手部３３には、他方の部材を取り付ける取付部３７が設けられている。【選択図】 図２
2005312822.tif 000002
【特許請求の範囲】
【請求項１】
互いに結合した状態において、片方の部材（４）が所定方向の引張力を受ける一対の部材（４，５）を互いに結合・分離するバックル（７）において、
ソケット（１０）と、このソケット（１０）に対して差込可能かつ所定位置まで差し込まれた状態において前記ソケット（１０）に対して係止されるプラグ（３０）とを備え、
前記ソケット（１０）は、前記一対の部材（４，５）のうちいずれか一方の部材（５）に取り付けられ、
前記プラグ（３０）は、そのプラグ（３０）の差込方向に対して略直交する方向に引手部（３３）を有し、この引手部（３３）には、前記一対の部材（４，５）のうちいずれか他方の部材（４）を取り付ける取付部（３７）が設けられている、ことを特徴とするバックル。
【請求項２】
請求項１に記載のバックル（７）において、
前記片方の部材（４）が引張力を受ける方向に対して、前記プラグ（３０）の差込方向が交差するように、前記ソケット（１０）が前記一方の部材（５）に取り付けられている、ことを特徴とするバックル。
【請求項３】
請求項１または請求項２に記載のバックル（７）において、
前記ソケット（１０）は、裏面側が前記一方の部材（５）に取り付けられたソケット本体（１１）と、このソケット本体（１１）の表面側に前記プラグ（３０）の差込方向に沿って形成された蟻溝形状でかつ前記差込方向の一端が開口されたガイド溝（２３）とを有し、
前記プラグ（３０）は、裏面側が前記ソケット本体（１１）の表面側に接しかつ表面側に引手部（３３）を有するプラグ本体（３１）と、このプラグ本体（３１）の裏面側に形成され前記ソケット（１０）のガイド溝（２３）に嵌合する形状でかつスライド可能なスライド部（３４）と、前記プラグ本体（３１）の引手部（３３）に形成された前記取付部（３７）とを有する、ことを特徴とするバックル。
【請求項４】
請求項３に記載のバックル（７）において、
前記ガイド溝（２３）は、前記プラグ（３０）の差込方向に間隔を隔てて前記ソケット本体（１１）に２箇所形成され、
前記スライド部（３４）は、前記プラグ（３０）の差込方向に間隔を隔てて前記プラグ本体（３１）に２箇所形成されている、ことを特徴とするバックル。
【請求項５】
請求項３または請求項４に記載のバックル（７）において、
前記プラグ（３０）のスライド部（３４）および取付部（３７）は、前記片方の部材（４）が引張力を受ける方向に略沿って前記プラグ本体（３１）に形成されていることを特徴とするバックル。
【請求項６】
請求項１〜請求項５のいずれかに記載のバックル（７）において、
前記ソケット（１０）には、ソケット（１０）を一方の部材（５）に取り付けるテープ（１２）を前記プラグ（３０）の差込方向に沿って挿通するためのテープ挿通孔（１３〜１６）が形成され、
前記プラグ（３０）の取付部（３７）は、前記ソケット（１０）のテープ挿通孔（１３〜１６）に挿通されたテープ（１２）の挿通方向および片方の部材（４）が受ける引張力方向に対して略直交する方向に開口する取付孔（３７）とされていることを特徴とするバックル。
【請求項７】
請求項３〜請求項６のいずれかに記載のバックル（７）において、
前記プラグ本体（３１）は、前記ソケット本体（１１）の表面側に接する裏面壁部（３２）と、この裏面壁部（３１）の表面側中央に前記プラグ（３０）の差込方向に対して略直交する方向に起立して形成された引手部（３３）とを含んで構成されていることを特徴とするバックル。
【請求項８】
請求項１〜請求項７のいずれかに記載のバックル（７）において、
前記ソケット（１０）に対して前記プラグ（３０）が所定位置まで差し込まれた状態において前記プラグ（３０）を前記ソケット（１０）に対して係止する係止手段（４０，４０Ａ，４０Ｂ，４０Ｃ）、および、この係止手段（４０，４０Ａ，４０Ｂ，４０Ｃ）の係止状態を解除する解除手段（５０，５０Ａ）を備えていることを特徴とするバックル。
【請求項９】
請求項８に記載のバックル（７）において、
前記係止手段（４０，４０Ｂ）は、前記ソケット（１０）に前記プラグ（３０）の差込方向に沿って形成されたガイド壁（４１）および係止部（４２）と、前記プラグ（３０）に弾性変形可能に形成され前記プラグ（３０）がソケット（１０）に差し込まれる際前記ガイド壁（４１）によって差込方向に対して直交しかつプラグ（３０）の内方へ弾性変形されたのち前記係止部（４２）に到達したとき弾性復帰して係止部（４２）に係止される弾性係止片（４３、７１）とを含んで構成され、
前記解除手段（５０）は、前記プラグ（３０）の弾性係止片（４３，７１）と対応する位置に設けられ弾性係止片（４３）を前記差込方向に対して直交しかつプラグ（３０）の内方へ弾性変形させる操作部（５１）を含んで構成されていることを特徴とするバックル。
【請求項１０】
請求項８に記載のバックル（７）において、
前記係止手段（４０Ａ）は、前記ソケット（１０）に形成された弾性変形可能な弾性係止突部（６１）と、前記プラグ（３０）に形成され前記プラグ（３０）がソケット（１０）に差し込まれた際前記弾性係止突部（６１）に係止される係止孔（６３）とを含んで構成され、
前記弾性係止突部（６１）は、前記プラグ（３０）がソケット（１０）に差し込まれた際、前記プラグ（３０）によって前記弾性係止突部（６１）を前記差込方向に対して直交しかつソケット（１０）の内方へ弾性変形させたのち前記係止孔（６３）が弾性係止突部（６１）に到達したとき弾性係止突部（６１）を弾性復帰させて係止孔（６３）に係止させるガイド壁（６２）を有し、
前記解除手段（５０Ａ）は、前記ソケット（１０）の弾性係止突部（６１）を前記差込方向に対して直交しかつソケット（１０）の内方へ弾性変形させる操作部（６４）を含んで構成されていることを特徴とするバックル。
【請求項１１】
請求項８に記載のバックル（７）において、
前記係止手段（４０Ｃ）は、前記ソケット（１０）および前記プラグ（３０）のいずれか一方に形成された一対の弾性挟持片（８１）と、前記ソケット（１０）および前記プラグ（３０）のいずれか他方に形成され前記プラグ（３０）がソケット（１０）に差し込まれた際前記弾性挟持片（８１）に挟持される挟持ピン（８４）とを含んで構成され、
前記一対の弾性挟持片（８１）は、前記プラグ（３０）がソケット（１０）に差し込まれた際、前記挟持ピン（８４）によって互いに離れる方向へ弾性変形されたのち、挟持ピン（８４）が通過した際弾性復帰するガイド壁（８２）と、このガイド壁（８２）よりプラグ差込側に形成され前記挟持ピン（８４）を弾性挟持する挟持部（８３）とを有する、ことを特徴とするバックル。
【請求項１２】
請求項１〜請求項１１のいずれかに記載のバックル（７）を用いたことを特徴とするベビーキャリア。
【発明の詳細な説明】
【技術分野】
【０００１】
本発明は、バックルおよびこれを用いたベビーキャリアに関する。詳しくは、互いに結合した状態において、片方の部材が所定方向の引張力を受ける一対の部材を互いに結合・分離するバックルおよびこれを用いたベビーキャリアに関する。
【背景技術】
【０００２】
一対の部材を互いに結合・分離する手段として、ソケットと、このソケットに対して差込可能かつ所定位置まで差し込まれた状態においてソケットに対して係止されるプラグとを備えたバックルが知られている。
このような構成のバックルは、比較的簡単な操作で一対の部材を結合・分離できるため、ベルト、テープ、紐などを結合、分離する用途に広く利用されている。
【０００３】
たとえば、特開２００４−６８７号公報（特許文献１）には、ベビーキャリアにおいて、背当部に設けたベルト部材の先端にバックルの一方側（たとえば、プラグ）を取り付け、ショルダーベルトにバックルの他方側（たとえば、ソケット）を取り付け、この両者を係合させることによって、袋状のキャリアが構成される点が開示されている。
このような構成のベビーキャリアによれば、組立に際しては、バックルのプラグおよびソケットを係合させるだけでよく、また、分解に際しては、バックルのプラグおよびソケットを外すだけでよいので、取り扱いが極めて簡単である。
【０００４】
【特許文献１】特開２００４−６８７号公報
【発明の開示】
【発明が解決しようとする課題】
【０００５】
ところが、従来のバックルは、互いに結合、分離されるベルト部材の先端にプラグおよびソケットを取り付け、プラグの後端部分を掴んでプラグの前半部分をソケットに差し込み係合させたり、ソケットから引き抜く構造であるため、ソケットの取付姿勢によっては、プラグの差込、引抜き操作がやりずらいという課題がある。
とくに、ベビーキャリアに用いられるバックルでは、子守者が肩にかけたショルダーベルトにバックルのソケットが取り付けられているため、プラグの後端部分を掴んでプラグをソケットに差し込んだり、ソケットから引き抜いたりする操作が極めてやりずらい。
【０００６】
本発明の目的は、プラグの差込、引抜操作が容易にできるバックルおよびベビーキャリアを提供することにある。
【課題を解決するための手段】
【０００７】
本発明のバックルは、互いに結合した状態において、片方の部材が所定方向の引張力を受ける一対の部材を互いに結合・分離するバックルにおいて、ソケットと、このソケットに対して差込可能かつ所定位置まで差し込まれた状態において前記ソケットに対して係止されるプラグとを備え、前記ソケットは、前記一対の部材のうちいずれか一方の部材に取り付けられ、前記プラグは、そのプラグの差込方向に対して略直交する方向に引手部を有し、この引手部には、前記一対の部材のうちいずれか他方の部材を取り付ける取付部が設けられている、ことを特徴とする。
【０００８】
この構成によれば、ソケットがいずれか一方の部材に取り付けられ、プラグの取付部にいずれか他方の部材が取り付けられた状態において、プラグをソケットに差し込むには、プラグの引手部を掴んでプラグをソケットに差し込む。すると、プラグが所定位置まで差し込まれると、プラグはソケットに対して係止される。つまり、一方の部材と他方の部材とが結合される。逆に、プラグをソケットから引き抜くには、プラグの引手部を掴んでプラグをソケットから引き抜くと、プラグがソケットから外れる。つまり、一方の部材と他方の部材とが分離される。
このプラグの差込および引抜操作にあたって、プラグの引手部を掴んで行うことができるから、従来のプラグの後端部分を掴んでプラグの差込および引抜操作を行う場合に比べて、プラグの差込、引抜操作が容易である。とくに、引手部は、プラグの差込方向に対して略直交する方向に設けられているから、引手部を掴みやすく、しかも、プラグをスライド操作（差し込み、引き抜き操作）しやすい。
【０００９】
本発明のバックルは、前記片方の部材が引張力を受ける方向に対して、前記プラグの差込方向が交差するように、前記ソケットが前記一方の部材に取り付けられている、ことが望ましい。
従来のバックルは、互いに結合、分離されるベルト部材の先端にプラグおよびソケットを取り付け、これらプラグおよびソケットをベルト部材の長手方向に沿って差し込み係合させる構造であるため、ベルト部材の長手方向に対して比較的大きな引張力が作用すると、バックルを構成するソケットおよびプラグが外れやすいという課題がある。
【００１０】
本発明のバックルによれば、プラグがソケットに係止された状態において、片方の部材（たとえば、他方の部材）に比較的大きな引張力が作用すると、その引張力が働く方向に対して、プラグの差込方向が交差しているから、その引張力は、プラグの引抜方向に沿った分力と、これに直交する分力とに分解される。そのため、プラグの引抜方向の力は、その分低減されるから、比較的大きな引張力に対しても外れにくい。従って、特別な部材を追加することなく、つまり、経済的欠点を伴うことなく、外れ難い構成にできる。
ここで、片方の部材が引張力を受ける方向に対して、プラグの差込方向が交差するとは、片方の部材が引張力を受ける方向とプラグの差込方向とが同一方向（平行を含む）以外の状態を言う。たとえば、片方の部材が引張力を受ける方向に対して、プラグの差込方向が直交していれば、プラグの引抜方向に沿った分力は略０になるため、より外れにくい。
【００１１】
本発明のバックルにおいて、前記ソケットは、裏面側が前記一方の部材に取り付けられたソケット本体と、このソケット本体の表面側に前記プラグの差込方向に沿って形成された蟻溝形状でかつ前記差込方向の一端が開口されたガイド溝とを有し、前記プラグは、裏面側が前記ソケット本体の表面側に接しかつ表面側に引手部を有するプラグ本体と、このプラグ本体の裏面側に形成され前記ソケットのガイド溝に嵌合する形状でかつスライド可能なスライド部と、前記プラグ本体の引手部に形成された前記取付部とを有する、ことが望ましい。
ここで、蟻溝状とは、入口に対して奥が広くなっている溝を意味し、溝内の断面形状はどのようなものでもよい。
【００１２】
この構成によれば、ソケットとプラグとは、ソケット本体に形成された蟻溝形状のガイド溝とプラグ本体に形成されたスライド部との嵌合構造によって、互いに結合する構造であるから、スライド部のスライド方向以外の力に対しては外れにくい構造にできる。とくに、スライド部のスライド方向に対して直交する方向の力に対しては、全く外れない。
しかも、プラグは、プラグ本体の裏面側にスライド部が、表面側に取付部が形成されているから、つまり、引張力が作用する取付部とこれを受けるスライド部とがプラグ本体の表裏に近接して設けられているから、取付部にかかる力によってスライド部に回転力が働くことが少なく、引張力を確実に受けることができる。
【００１３】
本発明のバックルにおいて、前記ガイド溝は、前記プラグの差込方向に間隔を隔てて前記ソケット本体に２箇所形成され、前記スライド部は、前記プラグの差込方向に間隔を隔てて前記プラグ本体に２箇所形成されている、ことが望ましい。
この構成によれば、ガイド溝およびこれに嵌合するスライド部が、ソケット本体およびプラグ本体にそれぞれ２箇所形成されているから、プラグがソケットに対して差し込まれる際、プラグが差込方向に対してガタつくことが少なく、円滑な差込が期待できる。しかも、プラグがソケットに差し込まれた状態においては、ソケットとプラグとは、差込方向の２箇所で嵌合（ガイド溝とスライド部とで嵌合）されているから、引張力を２箇所で分散して受けることができる。従って、比較的大きな引張力に対する強度も確保できる。
【００１４】
本発明のバックルにおいて、前記プラグのスライド部および取付部は、前記片方の部材が引張力を受ける方向に略沿って前記プラグ本体に形成されていることが望ましい。
この構成によれば、プラグのスライド部および取付部が、片方の部材が引張力を受ける方向に略沿ってプラグ本体に形成されているから、つまり、引張力が作用する取付部とこれを受けるスライド部とが、引張力が作用する方向に略沿ってプラグ本体に設けられているから、取付部にかかる力によってスライド部に回転力が働くことが少なく、引張力をより確実に受けることができる。
【００１５】
本発明のバックルにおいて、前記ソケットには、ソケットを一方の部材に取り付けるテープを前記プラグの差込方向に沿って挿通するためのテープ挿通孔が形成され、前記プラグの取付部は、前記ソケットのテープ挿通孔に挿通されたテープの挿通方向および片方の部材が受ける引張力方向に対して略直交する方向に開口する取付孔とされていることが望ましい。
この構成によれば、ソケットにはテープ挿通孔が形成されているから、このテープ挿通孔を利用してソケットを一方の部材に取り付けることができる。また、プラグの取付部が、取付孔として形成されているから、この取付孔を利用して他方の部材を連結固定できる。しかも、取付孔は、テープの挿通方向および片方の部材が受ける引張力方向に対して略直交する方向に開口されているから、テープと他方の部材とが直交した関係において、他方の部材が帯状部材であっても、よじれることなく挿通固定できる。
【００１６】
本発明のバックルにおいて、前記プラグ本体は、前記ソケット本体の表面側に接する裏面壁部と、この裏面壁部の表面側中央に前記プラグの差込方向に対して略直交する方向に起立して形成された引手部とを含んで構成されていることが望ましい。
この構成によれば、プラグ本体が、ソケット本体の表面側に接する裏面壁部と、この裏面壁部の表面側中央に起立して形成された引手部とを含んで構成されているから、引手部を掴んでプラグをソケットに対して差し込み、あるいは、引き抜きできる。その際、ソケット本体の表面側に接する裏面壁部を備えているから、引手部を掴んだ手や指がソケットのガイド溝に挟まれるのを防止できる。
【００１７】
本発明のバックルにおいて、前記ソケットに対して前記プラグが所定位置まで差し込まれた状態において前記プラグを前記ソケットに対して係止する係止手段、および、この係止手段の係止状態を解除する解除手段を備えていることが望ましい。
この構成によれば、プラグをソケットに対して係止する係止手段を備えているから、ソケットに対してプラグを所定位置まで差し込むだけで、プラグがソケットに対して自動的に係止される。つまり、プラグの引抜方向の移動が規制される。また、係止手段の係止状態を解除する解除手段を備えているから、プラグをソケットから外す際、解除手段を操作すると、係止手段の係止状態が解除されるから、プラグをソケットから簡単に外すことができる。
【００１８】
本発明のバックルにおいて、前記係止手段は、前記ソケットに前記プラグの差込方向に沿って形成されたガイド壁および係止部と、前記プラグに弾性変形可能に形成され前記プラグがソケットに差し込まれる際前記ガイド壁によって差込方向に対して直交しかつプラグの内方へ弾性変形されたのち前記係止部に到達したとき弾性復帰して係止部に係止される弾性係止片とを含んで構成され、前記解除手段は、前記プラグの弾性係止片と対応する位置に設けられ弾性係止片を前記差込方向に対して直交しかつプラグの内方へ弾性変形させる操作部を含んで構成されていることが望ましい。
この構成によれば、プラグをソケットに差し込んでいくと、プラグの弾性係止片は、ソケットのガイド壁によって差込方向に対して直交しかつプラグの内方へ弾性変形されたのち、係止部に到達したとき弾性復帰して係止部に係止される。つまり、プラグがソケットに係止される。
この状態において、プラグをソケットから外すには、プラグの操作部を操作して、弾性係止片を差込方向に対して直交しかつプラグの内方へ弾性変形させる。すると、弾性係止片が係止部から外れるから、この状態において、プラグをソケットから引き抜くことができる。
【００１９】
本発明のバックルにおいて、前記係止手段は、前記ソケットに形成された弾性変形可能な弾性係止突部と、前記プラグに形成され前記プラグがソケットに差し込まれた際前記弾性係止突部に係止される係止孔とを含んで構成され、前記弾性係止突部は、前記プラグがソケットに差し込まれた際、前記プラグによって前記弾性係止突部を前記差込方向に対して直交しかつソケットの内方へ弾性変形させたのち前記係止孔が弾性係止突部に到達したとき弾性係止突部を弾性復帰させて係止孔に係止させるガイド壁を有し、前記解除手段は、前記ソケットの弾性係止突部を前記差込方向に対して直交しかつソケットの内方へ弾性変形させる操作部を含んで構成されていることが望ましい。
この構成によれば、プラグをソケットに差し込んでいくと、ソケットの弾性係止突部は、プラグによって差込方向に対して直交しかつソケットの内方へ弾性変形されたのち、プラグの係止孔が到達したとき弾性復帰して係止孔に係止される。つまり、プラグがソケットに係止される。
この状態において、プラグをソケットから外すには、ソケットの操作部を操作して、弾性係止突部を差込方向に対して直交しかつソケットの内方へ弾性変形させる。すると、弾性係止突部が係止孔から外れるから、この状態において、プラグをソケットから引き抜くことができる。
【００２０】
本発明のバックルにおいて、前記係止手段は、前記ソケットおよび前記プラグのいずれか一方に形成された一対の弾性挟持片と、前記ソケットおよび前記プラグのいずれか他方に形成され前記プラグがソケットに差し込まれた際前記弾性挟持片に挟持される挟持ピンとを含んで構成され、前記一対の弾性挟持片は、前記プラグがソケットに差し込まれた際、前記挟持ピンによって互いに離れる方向へ弾性変形されたのち、挟持ピンが通過した際弾性復帰するガイド壁と、このガイド壁よりプラグ差込側に形成され前記挟持ピンを弾性挟持する挟持部とを有する、ことが望ましい。
この構成によれば、プラグをソケットに差し込んでいくと、挟持ピンは、一対の弾性挟持片（ガイド壁）を互いに離れる方向へ弾性変形させながら通過し、挟持部に達すると、ガイド壁が弾性復帰するため、挟持部により弾性挟持される。つまり、プラグがソケットに係止される。
この状態において、プラグをソケットから外すには、弾性挟持片の挟持部の挟持力より強い力でプラグをソケットから引き抜く。すると、弾性挟持片のガイド壁が互いに離れる方向へ弾性変形されるから、つまり、挟持ピンが挟持部から開放されるから、この状態において、プラグをソケットから引き抜くことができる。
【００２１】
本発明のベビーキャリアは、上記のいずれかに記載のバックルを用いたことを特徴とする。
このベビーキャリアによれば、上述したバックルの作用効果を備えたベビーキャリアを得ることができる。
【発明を実施するための最良の形態】
【００２２】
以下、本発明の実施形態を図面に基づいて説明する。
＜第１実施形態＞
第１実施形態（本発明のバックルをベビーキャリアに適用した実施形態）を図１〜図１０に示す。図１はベビーキャリアの全体を示す斜視図、図２はバックル部分を拡大した斜視図、図３は上記バックルの分解斜視図、図４は上記バックルのソケットとプラグとを分離した状態を示す図、図５は上記バックルのソケットの平面、図６は上記バックルのプラグの底面図、図７は上記バックルのソケットとプラグとの係合状態を示す断面図、図８は図７のVIII−VIII線断面図、図９は図７のIX−IX線断面図、図１０は図７のX−X線断面図である。
【００２３】
第１実施形態のベビーキャリア１は、図１に示すように、キャリー本体２と、２本のショルダーベルト５と、４つのバックル６，７とを含んで構成されている。
キャリー本体２は、乳幼児の腹部、股部および背部をそれぞれ支持する前当部２Ａ、股当部２Ｂおよび背当部２Ｃを有し、これらが一体的に形成されている。前当部２Ａの左右両側にはそれぞれショルダーベルト５の基端部が取り付けられているとともに、各ショルダーベルト５の先端部にはラダー６が取り付けられている。股当部２Ｂの左右両側にはベルト部材３が取り付けられているとともに、ベルト部材３の先端はラダー６に長さ調整可能に係合されている。背当部２Ｃの左右両肩部にはベルト部材４を介してバックル７の雄側部材（プラグ）３０が取り付けられているとともに、各ショルダーベルト５の途中にはバックル７の雌側部材（ソケット）１０が取り付けられている。そして、このプラグ３０とソケット１０とによって本発明のバックル７が構成されている。
【００２４】
バックル７は、図２、図３および図４に示すように、ソケット１０と、このソケット１０に対して差込可能かつ所定位置まで差し込まれた状態においてソケット１０に対して係止されるプラグ３０と、ソケット１０に対してプラグ３０が所定位置まで差し込まれた状態においてプラグ３０をソケット１０に対して係止する係止手段４０と、この係止手段４０の係止状態を解除する解除手段５０とを備えている。
【００２５】
ソケット１０は、図２、図３、図４、図５および図７に示すように、合成樹脂の射出成形によって矩形板状に成形され裏面側が一方の部材であるショルダーベルト５に取り付けられたソケット本体１１を有する。
ソケット本体１１には、その長手方向両端縁側および中間部にソケット１０をショルダーベルト５に取り付けるソケット固定用のテープ１２を挿通するためのテープ挿通孔１３，１４，１５，１６が表裏に貫通形成されている。テープ１２は、テープ挿通孔１３からソケット本体１１の裏面側、テープ挿通孔１４を通ってソケット本体１１の表面側、テープ挿通孔１５を通ってソケット本体１１の裏面側、テープ挿通孔１６を通ってソケット本体１１の表面側に順次引き出され、両端がソケット本体１１の長手方向両端より外側において、ショルダーベルト５に縫製固定されている。これにより、ソケット本体１１がショルダーベルト５に取り付けられている。
【００２６】
テープ挿通孔１３，１４の間およびテープ挿通孔１５，１６の間、つまり、プラグ３０の差込方向に間隔を隔てた位置には、係合突部１７，１８がそれぞれ形成されている。係合突部１７，１８は、ソケット本体１１の幅方向両側に立設された側壁１９と、この側壁１９のプラグ差込方向略前半部上端間に掛け渡された上壁２０とを備える。
上壁２０がない部分には平板状のプレート２１が両側の側壁１９間に掛け渡されている。プレート２１は、テープ挿通孔１３，１５から係合突部１７，１８の略中央部分までに跨って形成され、かつ、その中央部分先端に細長棒状ガイド片２２を備える構成で、テープ１２をショルダーベルト５の間に挟み込む機能とプラグ３０のスライドを案内する機能とを備えている。
上壁２０部分にはプラグ３０の差込方向に沿ってガイド溝２３が形成されている。ガイド溝２３は、上面から見た溝幅に対して奥部の溝幅が広い蟻溝形状（断面逆Ｔ字形状）で、プラグ３０の差込方向の一端（図４において左側）が開口されている。
【００２７】
プラグ３０は、図２、図３、図４、図６および図７に示すように、合成樹脂の射出成形によって成形され裏面側がソケット本体１１の表面側に接するプラグ本体３１を有する。
プラグ本体３１は、ソケット本体１１の表面側に接する裏面壁部３２と、この裏面壁部３２の表面側中央にプラグ３０の差込方向に対して略直交する方向に起立しかつプラグ３０の差込方向に沿って一体形成された引手部３３とを含んで構成されている。
裏面壁部３２には、スライド部３４がプラグ３０の差込方向に間隔を隔てて２箇所形成されている。スライド部３４は、ソケット１０のガイド溝２３に嵌合しかつスライド可能な形状、つまり、裏面壁部３２の底面から直角に立設された連結片３５と、この連結片３５に対して直交しかつ裏面壁部３２と平行な挿入片３６とを有する逆Ｔ字形状に形成されている。
引手部３３には、他方の部材であるベルト部材４が取り付けられる取付部としての取付孔３７が各スライド部３４位置に対応して形成されている。つまり、プラグ３０のスライド部３４および取付孔３７が、片方の部材であるベルト部材４が引張力を受ける方向に略沿ってプラグ本体３１に形成されている。取付孔３７は、ソケット１０のテープ挿通孔１３〜１６に挿通されたテープ１２の挿通方向および片方の部材であるベルト部材４が受ける引張力方向に対して交差（略直交）する方向に開口されている。
【００２８】
係止手段４０は、図２、図３、図４、図５、図６および図７に示すように、ソケット１０の係合突部１７において、プラグ３０の差込方向に沿って形成されたガイド壁４１および係止部４２と、プラグ３０に弾性変形可能に形成された弾性係止片４３とを含んで構成されている。
ガイド壁４１は、ソケット１０の係合突部１７において、上壁２０の肉厚上半部分にプラグ３０の差込方向に向かうに従って幅が次第に狭くなるようにテーパ状に形成されている。係止部４２は、ガイド壁４１に連続して形成され、ガイド壁４１からプラグ３０の差込方向に向かうに従って幅が広く形成されたのち、次第に狭くなるように形成されている。
弾性係止片４３は、プラグ３０がソケット１０に差し込まれる際ガイド壁４１によって差込方向に対して直交しかつプラグ３０の内方へ弾性変形されたのち係止部４２に到達したとき弾性復帰して係止部４２に係止される。具体的には、プラグ３０の差込方向後端から、プラグ３０の幅方向両側に向かってかつプラグの差込方向へ向かって一体的に形成された一対の弾性係止爪４４を備えている。各弾性係止爪４４の先端には、係止部４２に係止される爪部４５が突出形成されている。
【００２９】
解除手段５０は、図２、図３および図４に示すように、プラグ３０の弾性係止爪４４と対応する位置に設けられ弾性係止爪４４を差込方向に対して直交しかつプラグ３０の内方へ弾性変形させる操作部によって構成されている。具体的には、プラグ３０の各弾性係止爪４４と対応する位置の外側に操作ボタン５１が一体的に突出形成されている。
【００３０】
本実施形態のベビーキャリア１の使用にあたっては、バックル６の雄側部材６Ａと雌側部材６Ｂとを係合するとともに、バックル７のソケット１０とプラグ３０とを係合させる。つまり、プラグ３０の引手部３３を掴み、プラグ３０をソケット１０に差し込む。すると、図１に示す状態に組み立てられる。
このようにして組み立てたベビーキャリア１内に乳児が収容されると、キャリー本体２の背当部２Ｃにはショルダーベルト５から離れる方向の力が働く。すると、ベルト部材４にも同じ力が働く。このとき、ベルト部材４が引張力を受ける方向に対して、プラグ３０の差込方向が交差（略直交）するように、バックル７のソケット１０およびプラグ３０がショルダーベルト５およびベルト部材４に取り付けられている。
従って、ベルト部材４に比較的大きな引張力が作用すると、その引張力は、プラグ３０の引抜方向に沿った分力と、これに直交する分力とに分解される。そのため、プラグ３０の引抜方向の力は、その分低減されるから、比較的大きな引張力に対しても外れにくい。この例では、ベルト部材４が引張力を受ける方向に対して、プラグ３０の差込方向が略直交しているから、プラグ３０の引抜方向に沿った分力は略０になるため、外れにくい。
【００３１】
第１実施形態によれば、次の作用効果が期待できる。
（１）プラグ３０の差込および引抜操作にあたって、プラグ３０の引手部３３を掴んで行うことができるから、従来のプラグの後端部分を掴んでプラグの差込および引抜操作を行う場合に比べて、プラグ３０の差込、引抜操作が容易である。すなわち、引手部３３は、プラグ３０の差込方向に対して略直交する方向に設けられているから、引手部３３を掴みやすく、しかも、プラグ３０をスライド操作しやすい。
【００３２】
（２）ベルト部材４に作用する引張力の方向に対して、プラグ３０の差込方向が略直交しているから、プラグ３０には引抜方向に沿った力が作用することが少なく、比較的大きな引張力に対しても外れにくい。そのため、本実施形態のベビーキャリアによれば、特別な部材を追加することなく、背当部２Ｃが子守者側から離れて脱落するのを防止できるから、安全に利用できる。
【００３３】
（３）ソケット１０とプラグ３０とは、ソケット本体１１に形成された逆Ｔ字蟻溝形状のガイド溝２３と、これに嵌合する逆Ｔ字形状でプラグ本体３１に形成されたスライド部３４との嵌合構造によって、互いに結合する構造であるから、スライド部３４のスライド方向以外の力に対しては外れにくい。本実施形態では、スライド部３４のスライド方向に対して略直交する方向の引張力が作用するから、外れる虞が極めて少ない。
【００３４】
（４）しかも、プラグ３０は、プラグ本体３１の裏面側にスライド部３４が、表面側に取付孔３７が形成されているから、つまり、引張力が作用する取付孔３７とこれを受けるスライド部３４とがプラグ本体３１の表裏に近接して設けられているから、取付孔３７にかかる力によってスライド部３４に回転力が働くことが少なく、引張力を確実に受けることができる。
とくに、プラグ３０のスライド部３４および取付孔３７が、ベルト部材４が引張力を受ける方向に略沿ってプラグ本体３１に形成されているから、つまり、引張力が作用する取付孔３７とこれを受けるスライド部３４とが、引張力が作用する方向に略沿ってプラグ本体３１に設けられているから、取付孔３７にかかる力によってスライド部３４に回転力が働くことが少なく、この点からも、外れにくい。
【００３５】
（５）ガイド溝２３およびこれに嵌合するスライド部３４が、ソケット本体１１およびプラグ本体３１にそれぞれ２箇所形成されているから、プラグ３０がソケット１０に対して差し込まれる際、プラグ３０が差込方向に対してガタつくことが少ない。しかも、プラグ３０がソケット１０に差し込まれた状態においては、ソケット１０とプラグ３０とは、差込方向の２箇所で嵌合（ガイド溝２３とスライド部３４とで嵌合）されているから、引張力を２箇所で分散して受けることができる。従って、比較的大きな引張力に対する強度も確保できる。
【００３６】
（６）ソケット１０にはテープ挿通孔１３〜１６が形成されているから、このテープ挿通孔１３〜１６を利用してソケット１０をショルダーベルト５に縫製固定できる。また、プラグ３０には取付孔３７が形成されているから、この取付孔３７を利用してベルト部材４を連結固定できる。しかも、取付孔３７は、テープ１２の挿通方向およびベルト部材４が受ける引張力方向に対して略直交する方向に開口されているから、テープ１２とベルト部材４とが直交した関係において、ベルト部材４が帯状部材であっても、よじれることなく挿通固定できる。
【００３７】
（７）プラグ本体３１が、ソケット本体１１の表面側に接する裏面壁部３２と、この裏面壁部３２の中央に一体的に起立形成された引手部３３とを含んで構成されているから、引手部３３を掴んでプラグ３０をソケット１０に対して差し込み、あるいは、引き抜きできる。その際、ソケット本体１１の表面側に接する裏面壁部３２を備えているから、引手部３３を掴んだ手や指がソケット１０のガイド溝２３に挟まれるのを防止できる。
しかも、裏面壁部３２は、スライド部３４の挿入片３６とでガイド溝２３の上壁２０を上下から挟む構造となるため、プラグ３０の上下方向（差込方向と直交する方向）のガタも低減できる。
【００３８】
（８）プラグ３０をソケット１０に対して係止する係止手段４０を備えているから、ソケット１０に対してプラグ３０を所定位置まで差し込むだけで、プラグ３０をソケット１０に対して自動的に係止させることができる。
また、係止手段４０の係止状態を解除する解除手段５０を備えているから、プラグ３０をソケット１０から外す際、解除手段５０を操作すると、係止手段４０の係止状態が解除されるから、プラグ３０をソケット１０から簡単に外すことができる。
【００３９】
（９）係止手段４０は、ソケット１０にプラグ３０の差込方向に沿って形成されたガイド壁４１および係止部４２と、プラグ３０に弾性変形可能に形成されプラグ３０がソケット１０に差し込まれる際ガイド壁４１によって差込方向に対して直交しかつプラグ３０の内方へ弾性変形されたのち係止部４２に到達したとき弾性復帰して係止部４２に係止される弾性係止片４３とを含んで構成されているから、プラグ３０をソケット１０に差し込んでいくと、プラグ３０の弾性係止片４３は、ソケット１０のガイド壁４１によって差込方向に対して直交しかつプラグ３０の内方へ弾性変形されたのち、係止部４２に到達したとき弾性復帰して係止部４２に係止される。従って、プラグ３０をソケット１０に差し込むだけで、プラグ３０をソケット１０に係止させることができる。
【００４０】
（１０）解除手段５０は、プラグ３０の弾性係止片４３と対応する位置に設けられ弾性係止片４３を差込方向に対して直交しかつプラグ３０の内方へ弾性変形させる操作ボタン５１を含んで構成されているから、プラグ３０の操作ボタン５１を押圧操作して、弾性係止片４３を差込方向に対して直交しかつプラグ３０の内方へ弾性変形させると、爪部４５が係止部４２から外れる。従って、操作ボタン５１を押しながら、プラグ３０をソケット１０から引き抜くだけで、プラグ３０とソケット１０とを分離できる。
【００４１】
＜第２実施形態＞
第２実施形態のバックルを図１１に示す。図１１はソケット１０とプラグ３０とを分離した状態を示す分解斜視図である。第２実施形態の説明にあたって、第１実施形態と同一構成要件については、同一符号を付し、その説明を省略もしくは簡略化する。
第２実施形態のバックルは、図１１に示すように、第１実施形態に対して、係止手段および解除手段が異なる。
【００４２】
第２実施形態の係止手段４０Ａは、ソケット１０に形成された弾性変形可能な弾性係止突部６１と、プラグ３０に形成されプラグ３０がソケット１０に差し込まれた際弾性係止突部６１に係止される係止孔６３とを含んで構成されている。
弾性係止突部６１は、短円柱状で、ソケット１０の係合突部１８のガイド溝２３より先端側に係合突部１８の上面（表面）より上方へ突出して弾性変形可能に設けられている。また、弾性係止突部６１の表面には、プラグ３０の差込方向前方へ向かうに従って次第に上方へ傾斜するガイド壁６２が形成されている。このガイド壁６２によって、プラグ３０がソケット１０に差し込まれた際、弾性係止突部６１が差込方向に対して直交しかつソケット１０の内方へ弾性変形されたのち、係止孔６３が弾性係止突部６１に到達したとき弾性復帰し係止孔６３に係止される。
【００４３】
第２実施形態の解除手段５０Ａは、ソケット１０の弾性係止突部６１を差込方向に対して直交しかつソケット１０の内方へ弾性変形させる操作部６４を含んで構成されている。
操作部６４は、弾性係止突部６１から一体に延長されたレバー部６５と、このレバー部６５の先端に矩形状に形成された操作端６６とを備える。
【００４４】
第２実施形態によれば、プラグ３０をソケット１０に差し込んでいくと、ソケット１０の弾性係止突部６１は、プラグ３０の先端によってソケット１０の内方へ弾性変形されたのち、プラグ３０の係止孔６３が到達したとき弾性復帰して係止孔６３に係止される。つまり、プラグ３０がソケット１０に係止される。
この状態において、プラグ３０をソケット１０から外すには、ソケット１０の操作部６４を押圧操作して、弾性係止突部６１をソケット１０の内方へ弾性変形させる。すると、弾性係止突部６１が係止孔６３から外れるから、この状態において、プラグ３０をソケット１０から引き抜くことができる。
【００４５】
なお、第２実施形態において、係止手段４０Ａは、図１２に示すように構成しても同様な効果が期待できる。つまり、ソケット１０側に設けられる弾性係止突部６１は、平面から見て矩形状で、かつ、差込方向に向かうに従って次第に上方へ傾斜したのち、下方へ向かう垂直面に形成された形状、つまり、側面から見て直角三角形状に形成されている。これに対し、プラグ３０側に設けられる係止孔６３は、弾性係止突部６１が係合する矩形孔（四角孔）状に形成されている。
【００４６】
＜第３実施形態＞
第３実施形態のバックルを図１３および図１４に示す。図１３はソケット１０とプラグ３０との係合状態を示す斜視図、図１４はソケット１０とプラグ３０とを分離した状態を示す斜視図である。なお、第３実施形態の説明にあたって、第１実施形態と同一構成要件については、同一符号を付し、その説明を省略もしくは簡略化する。
第３実施形態のバックルは、第１実施形態に対して、係止手段が異なる。また、第１実施形態では、ソケット１０に設けられるガイド溝２３と、プラグ３０に設けられるスライド部３４とが、プラグ３０の差込方向に間隔を隔てて２箇所設けられていたが、第３実施形態では、１箇所のみである。更に、第１実施形態では、ソケット１０がショルダーベルト５にテープ１２によって縫製固定されていたが、第３実施形態では、ソケット１０がショルダーベルト５に接着などにより固定されている。
【００４７】
第３実施形態の係止手段４０Ｂは、図１３および図１４に示すように、プラグ３０側に設けられる弾性係止片７１が、プラグ本体３１にプラグ３０の差込方向と同一方向の軸線を支点として互いに接近する方向へ弾性変形可能に構成されている。つまり、弾性係止片７１は、基端（上端）がプラグ本体３１にプラグ３０の差込方向と同一方向の軸線を支点として弾性変形可能に連結され、先端（下端）が互いに接近する方向へ弾性変形可能に構成されている。
【００４８】
第３実施形態によれば、プラグ３０をソケット１０の横から差し込んでいくと、プラグ３０の弾性係止片７１は、ソケット１０のガイド壁４１によって互いに内側に弾性変形されたのち、係止部４２に到達したとき弾性復帰して係止部４２に係止される。つまり、プラグ３０がソケット１０に係止される。
この状態において、プラグ３０をソケット１０から外すには、ソケット１０の操作ボタン５１を押圧操作して、弾性係止片７１を互いに内側に弾性変形させる。すると、弾性係止片７１が係止部４２から外れるから、この状態において、プラグ３０をソケット１０から引き抜くことができる。
【００４９】
なお、第３実施形態においては、引手部３３の上部に２つの取付孔３７Ａ，３７Ｂが互いに直角に形成されている。取付孔３７Ａは、第１実施形態の取付孔３７と同じ向きに形成されているが、取付孔３７Ｂは、取付孔３７Ｂに対して直角に形成されている。取付孔３７Ａにベルト部材４を取り付けた場合、プラグ３０の差込方向に対して略直交する方向の引張力が働くが、取付孔３７Ｂにベルト部材４を取り付けた場合、プラグ３０の差込方向に対して略平行な方向の引張力が生じる場合がある。
【００５０】
＜第４実施形態＞
第４実施形態のバックルを図１５に示す。図１５はソケット１０とプラグ３０とを分離した状態を示す斜視図である。第４実施形態の説明にあたって、第１実施形態と同一構成要件については、同一符号を付し、その説明を省略もしくは簡略化する。
第４実施形態のバックルは、図１５に示すように、第１実施形態に対して、係止手段が異なり、解除手段が特に設けられていない。
【００５１】
第４実施形態の係止手段４０Ｃは、ソケット１０に形成された一対の弾性挟持片８１と、プラグ３０に形成されプラグ３０がソケット１０に差し込まれた際弾性挟持片８１に挟持される挟持ピン８４とを含んで構成されている。
一対の弾性挟持片８１は、ソケット１０の係合突部１７より手前側に設けられ、プラグ３０の差込方向に向かうに従って互いに接近するように湾曲形成されたガイド壁８２と、このガイド壁８２からプラグ差込方向へ向かうに従って互いに離れる方向へ湾曲形成されたのち再び接近結合するように湾曲形成された挟持部８３とを有する。
【００５２】
第４実施形態によれば、プラグ３０をソケット１０に差し込んでいくと、プラグ３０の挟持ピン８４は、ソケット１０の一対の弾性挟持片８１（ガイド壁８２）を互いに離れる方向へ弾性変形させながら通過し、挟持部８３に達すると、ガイド壁８２が弾性復帰するため、挟持部８３により弾性挟持される。つまり、プラグ３０がソケット１０に係止される。
この状態において、プラグ３０をソケット１０から外すには、弾性挟持片８１の挟持部８３の挟持力より強い力でプラグ３０をソケット１０から引き抜く。すると、弾性挟持片８１のガイド壁８２が互いに離れる方向へ弾性変形されるから、つまり、挟持ピン８４が挟持部８３から開放されるから、この状態において、プラグ３０をソケット１０から引き抜くことができる。
なお、第４実施形態では、ソケット１０に一対の弾性挟持片８１を、プラグ３０に挟持ピン８４をそれぞれ設けたが、これとは逆に設けてもよい。つまり、ソケット１０に挟持ピン８４を、プラグ３０に一対の弾性挟持片８１を設けるようにしても、同様な効果が期待できる。
【００５３】
＜変形実施形態＞
なお、本発明は上記実施形態に限定されるものではなく、本発明の目的を達成できる範囲での変形、改良等は本発明に含まれる。
たとえば、上記各実施形態では、ソケット１０をショルダーベルト５に、プラグ３０をベルト部材４に取り付けたが、これとは逆に取り付けてもよい。つまり、ソケット１０をベルト部材４に、プラグ３０をショルダーベルト５に取り付けてもよい。この場合、ソケット１０の裏面側に適宜の手段でベルト部材４を固定し、プラグ３０の表面側の取付部（取付孔）にショルダーベルト５を連結固定するようにすればよい。
【００５４】
上記各実施形態では、ソケット１０が取り付けられるショルダーベルト５、および、プラグ３０が取り付けられるベルト部材４が、ともに、帯状に構成されていたが、これに限らず、紐状部材、あるいは、面状部材であってもよい。
【００５５】
上記第１，第３実施形態では、ガイド溝２３は、プラグ３０の差込方向に間隔を隔ててソケット本体１１に２箇所形成され、また、スライド部３４は、プラグ３０の差込方向に間隔を隔ててプラグ本体３１に２箇所形成されていたが、これに限らず、１箇所でもよく、用途によっては、３箇所以上でもよい。
【００５６】
上記第１，第３実施形態では、プラグ３０の各取付孔３７は、各スライド部３４に対応して、かつ、プラグ３０が引張力を受ける方向に略沿ってプラグ本体３１に形成されていたが、２つのスライド部３４の中間位置に設けるようにしてもよい。
【００５７】
上記第１、第２、第４実施形態では、ソケット１０をテープ１２によってショルダーベルト５に縫製固定するようにしたが、接着によって固定してもよい。ソケット１０およびプラグを各部材に固定する手段については、縫製固定、接着固定に限らず、ボタンのカシメ固定などでもよい。
【００５８】
係止手段および解除手段についても、上記各実施形態で述べた構成に限らず、他の機構でもよい。とくに、係止手段については、プラグ３０をソケット１０に差し込んでいくと、自動的に係止される構造に限らず、プラグ３０が所定位置まで差し込まれた状態において、たとえば、レバー操作によってプラグ３０をソケット１０に係止させる構造でもよい。従って、解除手段５０についても、係止手段４０の構造に応じた最適な構造が望ましい。
【産業上の利用可能性】
【００５９】
本発明は、ベビーキャリアに利用できる他、スキーなどのスポーツ用品カバー、飲料水などのドリンクホルダ、鞄、バックなどに使用されるベルト、テープ、紐にも利用することができる。
【図面の簡単な説明】
【００６０】
【図１】本発明のバックルをベビーキャリアに適用した第１実施形態を示す斜視図。
【図２】同上実施形態で用いるバックル部分を拡大した斜視図。
【図３】上記バックルの分解斜視図。
【図４】上記バックルのソケットとプラグとを分離した状態を示す図。
【図５】上記バックルのソケットの平面図。
【図６】上記バックルのプラグの底面図。
【図７】上記バックルのソケットとプラグとの係合状態を示す断面図。
【図８】図７のVIII−VIII線断面図。
【図９】図７のIX−IX線断面図。
【図１０】図７のX−X線断面図。
【図１１】本発明の第２実施形態に係るバックルを示す分解斜視図。
【図１２】上記第２実施形態の変形例を示す分解斜視図。
【図１３】本発明の第３実施形態に係るバックルを示す斜視図。
【図１４】上記実施形態のバックルの分解視図。
【図１５】本発明の第４実施形態に係るバックルを示す分解斜視図。
【符号の説明】
【００６１】
１…ベビーキャリア、４…ベルト部材（他方の部材、片方の部材）、５…一方の部材、７…バックル、１０…ソケット、１１…ソケット本体、１２…テープ、１３〜１６…テープ挿通孔、２３…ガイド溝、３０…プラグ、３１…プラグ本体、３２…裏面壁部、３３…引手部、３４…スライド部、３７…取付孔（取付部）、４０、４０Ａ，４０Ｂ，４０Ｃ…係止手段、４１…ガイド壁、４２…係止部、４３，４３Ｂ…弾性係止片、５０，５０Ａ…解除手段、５１…操作ボタン（操作部）、６１…弾性係止突部、６２…ガイド壁、６３…係止孔、６４…操作部、７１…弾性係止片、８１…弾性挟持片、８２…ガイド壁、８３…挟持部、８４…挟持ピン。
【図１】
2005312822.tif 000003
【図２】
2005312822.tif 000004
【図３】
2005312822.tif 000005
【図４】
2005312822.tif 000006
【図５】
2005312822.tif 000007
【図６】
2005312822.tif 000008
【図７】
2005312822.tif 000009
【図８】
2005312822.tif 000010
【図９】
2005312822.tif 000011
【図１０】
2005312822.tif 000012
【図１１】
2005312822.tif 000013
【図１２】
2005312822.tif 000014
【図１３】
2005312822.tif 000015
【図１４】
2005312822.tif 000016
【図１５】
2005312822.tif 000017